【手続補正書】
【提出日】平成20年5月30日(2008.5.30)
【手続補正１】
【補正対象書類名】明細書
【補正対象項目名】特許請求の範囲
【補正方法】変更
【補正の内容】
【特許請求の範囲】
【請求項１】
平坦な網袋を裏返して立体化すると共に、その網袋の中央部を中心とした複数回の折畳みにより、その一端を花びら状に形成した円錐状の個別束子と、
この個別束子の複数個を同一方向に重なるように配置して、前記円錐状の突出部側を輪形に固定して形成した集合束子と、
この集合束子の前記突出部側が内側になるように、前記個別束子の花びら側のそれぞれを反転すると共に、この反転部と反転した前記花びら側との中間部を結束することにより形成した球体状の第１の束子と、
この第１の束子の他端側に配設され、前記花びらの集合体よりなる第２の束子とからなる網袋を礎材とした束子。
【請求項２】
平坦な網袋を裏返して立体化すると共に、その網袋の中央部を中心とした複数回の折畳みにより、その一端を花びら状に形成した円錐状の個別束子と、
この個別束子の複数個を同一方向に重なるように配置して、前記円錐状の突出部側を輪形に固定して形成した集合束子と、
この集合束子の前記突出部側から延出して設けられ、前記集合束子の色彩とは異なる色彩で形成すると共に、前期集合束子と一体化して形成した棒状の花心と、
この花心を中心として前期集合束子の花びら側をそれぞれ反転すると共に、その中間部を結束して形成した球体状の第１の束子と、
この第１の束子の他端側に配設され、前期花びらの集合体よりなる第２の束子とからなる網袋を礎材とした束子。
【請求項３】
平坦な網袋を裏返すと共に、その開口部を内側に折り返して芯を形成し、その芯となる開口中央部を互いに離間する方向に開いて、方形の中空体を形成する中空体形成工程と、
この中空体形成工程で形成した方形の中空体の中央部を中心として、前期芯が互いに重なるように折り返すことで、芯を中心線とした略二等辺三角形よりなる三角体を形成すると共に、この三角体の中心線により区分されたそれぞれの底辺を、三角体の中心線と重なるようにした複数回の折り返しにより、その先端部を花びら状にした円錐状の個別束子を形成する個別束子形成工程と、
この個別束子形成工程で形成した個別束子の複数個を集合させて結合した集合束子を形成する集合束子形成工程と、
この集合束子形成工程で形成した集合束子の前期結合部が内側となるように、前期花びら側を反転させると共に、反転したその中間部を結束して、球体状の第１の束子と花びらの集合体よりなる第２の束子とを形成する束子完成工程とからなる網袋を礎材とした束子の製造方法。
【手続補正２】
【補正対象書類名】明細書
【補正対象項目名】０００８
【補正方法】変更
【補正の内容】
【０００８】  上述した個別束子２０の作り方について説明する。図４は個別束子の作成を示し、網袋を用いて方形の中空体を形成する説明図、図５は図４の中空体から三角体を形成する説明図、図６は図５の三角体を個別束子に形成する説明図である。
個別束子２０の礎材は、図示しないが連続した筒状の網体を切断して、その一端を開放した状態の開口に、また、他端は接合して底とした袋体よりなる平坦な網袋を用いている。
このような網袋を裏返すと共に、その開口部をそれぞれ袋の内側に折り返して芯４３となし、その網袋両面の中央部を互いに離間する方向に引張ることで、図４で示す方形の中空体４２を形成する。すなわち網袋の底を接合した底接合部４４と、芯４３を形成した開口とが直交するように配設されて、方形の中空体４２を形成する。
束子の礎材となる網袋を裏返したり、開口辺を袋の内側に折り返したりした理由で、全体が中空となってふっくらしたものである。網袋の開口辺を折り返したことで、両方の開口辺部を重ねると、網は４層に重なって芯４３を形成した方形の中空体４２となる。
このように形成した中空体４２は、図中のＡで示す中央部を中心にして、芯４３同士が重なるように折り曲げることで、図５で示す三角体４６を形成する。
この三角体４６は、略二等辺三角形であり、芯４３を中心にして芯と片方の底辺とが重なるようにして、２回折り曲げたものが図５で示す形状である。更にもう一方の三角部も、同様にして１点鎖線と２点鎖線の位置で２回折り曲げてから、両者を重ねると図６で示す個別束子２０となる。
この個別束子は全体が円錐体となり、図中の上部が花びら４７を形成し、下端の突出部に図示しない千枚通しなどを突き刺して、穴をあけ結束バンド１７を取付ける。すなわち、網袋を円錐体状に形成することで、その一端に花びら形を形成してやわらかな束子を、他端を円錐の突出部とすることで、網袋を密集体にして硬い束子が得られるようにしたものである。
このような個別束子の複数個を集合させることで、上記の作用をそこなうことなく全体を大型化している。この個別束子２０は、図３で示したように、複数個の個別束子と前述した花心１６とを、結束バンド１７で結束することにより、集合束子３０を形成した。
【手続補正３】
【補正対象書類名】明細書
【補正対象項目名】００１０
【補正方法】変更
【補正の内容】
【００１０】  この網袋を礎材とした束子１０の製造方法について説明する。図８は図１の製造工程を示す説明図である。
二通りの使い方ができる網袋を礎材とした束子１０の製造方法５０は、先ず網袋を用いて方形の中空体４２を作る中空体形成工程５２とした。
この中空体形成工程で作った方形の中空体４２を三角形となるように三角体４６を形成し、これを更に複数回の折り曲げにより、一端を花びら状とした円錐状の個別束子２０を形成する個別束子形成工程５４とした。
この個別束子形成工程で作った個別束子２０は、その複数個を集めて結合することで集合束子形成工程５６とした。
集合束子形成工程５６で作った集合束子３０の円錐突出部が、その内側となるようにそれぞれの個別束子２０に形成した花びら側を反転させると共に、反転部が元に戻らないように結束して、球体よりなる第１の束子１２と、花びらを集合させた第２の束子１４とを設けた束子の束子完成工程５８とした。このような工程を得ることで本発明の束子製造工程５０とした。
このような各工程を更に詳細に説明する。
中空体形成工程５２は、方形の網袋を裏返して、その開口辺を袋の内側に折り返して芯４３を形成し、折り返した開口部よりなる芯４３同士を重ねて、方形の中空体４２を、図４で示したように形成する工程である。
個別束子形成工程５４は、中空体形成工程５２で作った中空体４２を、その中央部で折り曲げて、図５で示した三角体４６を作る。この三角体は中空体形成工程５２で折り返した開口辺、すなわち芯４３同士が互いに重なる方向に折曲したものである。
このような三角体４６は、三角体の頂部側に花びら４７が形成されるように、複数回の折曲により略円錐体形に形成する。この円錐体がほどけないように、結束バンド１７を突き刺すことで、図６で示したように、その一端に花びら４７を有する個別束子２０を形成する工程である。
集合束子形成工程５６は、個別束子形成工程５４で作った個別束子２０の複数個を集めて、図７で示したように、円錐状個別束子の突出部側を紐などにより、全体を結束して、図７で示すような、集合束子３０を作る工程である。
束子完成工程５８は、集合束子形成工程５６で作った集合束子３０を、完成品に仕上げる工程である。集合束子３０を図７の状態から、図中の矢印の方向に花びらを折り返すことで、円錐体の突出部が内側になるように、結束して球体を作ることで、その球体部分を第１の束子１２に、また、花びら部分を第２の束子１４とした網袋を礎材とした束子１０を形成することで、束子完成工程５８としたものである。
このような上述した各工程を経て、網袋を礎材とした束子の製造方法とした。